Podtech/llm-jp-corpus-v4-ja_patent huggingface dataset:
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
Ｘ線を検出して電気信号を得る二次元センサと、
前記二次元センサを駆動する駆動回路と、
前記駆動回路に前記二次元センサからの前記電気信号を読み出させることでＸ線画像データを得る制御手段と、
外部装置と接続し、前記二次元センサの駆動状態を示す信号と前記電気信号を前記駆動回路により読み出すことで得られるＸ線画像データとを同一の通信ポートを介して送信する通信手段と
を有することを特徴とする撮影装置。
【請求項２】
前記制御手段は、前記通信手段がＸ線画像データを前記外部装置に対して送信していないタイミングで前記二次元センサの駆動状態を示す信号を前記通信手段に送信させることを特徴とする請求項１に記載の撮影装置。
【請求項３】
前記撮影装置はＸ線の動画像撮影を行い、
前記通信手段は、動画像の各フレームを順次外部装置に対して送信し、
前記制御手段は、前記動画像の隣り合うフレームの送信の合間に前記駆動状態を示す信号を前記通信手段に送信させることを特徴とする請求項２に記載の撮影装置。
【請求項４】
請求項１乃至３のいずれか１項に記載の撮影装置と、
前記撮影装置により送信されたＸ線画像データを受信する画像処理装置と、
を有することを特徴とするＸ線画像診断装置。
【請求項５】
被検体にＸ線を照射し、該被検体のＸ線画像を生成する撮影装置と、該撮影装置から送信されたＸ線画像を受信し、画像処理する画像処理装置とを備えるＸ線画像診断装置であって、
前記撮影装置は、
照射されたＸ線を検出し、電気信号に変換する検出部と、該検出部より電気信号を読み出し、Ｘ線画像を出力する読み出し部とを備えるＸ線センサと、
前記Ｘ線センサより出力されたＸ線画像に、前記検出部での検出可能なタイミングを判定するための情報を付加して送信する送信手段と、を備え、
前記画像処理装置は、
前記送信された、前記検出部での検出可能なタイミングを判定するための情報が付加されたＸ線画像を受信する受信手段と、
前記受信した前記検出部での検出可能なタイミングを判定するための情報に基づいて、前記撮影装置において被検体に対してＸ線を照射するタイミングを制御する制御手段と
を備えることを特徴とするＸ線画像診断装置。
【請求項６】
前記制御手段は、前記検出部によりＸ線を検出する期間においてのみ、前記撮影装置が被検体に対してＸ線を照射するよう制御することを特徴とする請求項５に記載のＸ線画像診断装置。
【請求項７】
前記検出部での検出可能なタイミングを判定するための情報には、前記読み出し部による読み出し開始タイミングを示す情報及び読み出し終了タイミングを示す情報を含むことを特徴とする請求項５に記載のＸ線画像診断装置。
【請求項８】
前記受信手段は、前記受信したＸ線画像を格納するバッファを有しており、該バッファの空き容量が予め定められた容量以下となった場合に、前記送信手段に対して、Ｘ線画像の送信を停止するよう指示することを特徴とする請求項５に記載のＸ線画像診断装置。
【請求項９】
Ｘ線を検出して電気信号を得る二次元センサと、
前記二次元センサを駆動する駆動回路と、を有する撮影装置の制御方法であって、
制御手段が、前記駆動回路に前記二次元センサからの前記電気信号を読み出させることでＸ線画像データを得る制御工程と、
通信手段が、外部装置と接続し、前記二次元センサの駆動状態を示す信号と前記電気信号を前記駆動回路により読み出すことで得られるＸ線画像データとを同一の通信ポートを介して送信する通信工程と
を有することを特徴とする撮影装置の制御方法。
【請求項１０】
被検体にＸ線を照射し、該被検体のＸ線画像を生成する撮影装置と、該撮影装置から送信されたＸ線画像を受信し、画像処理する画像処理装置とを備えるＸ線画像診断装置における制御方法であって、
送信手段が、照射されたＸ線を検出し、電気信号に変換する検出部と、該検出部より電気信号を読み出し、Ｘ線画像を出力する読み出し部とを備えるＸ線センサより出力されたＸ線画像に、前記検出部での検出可能なタイミングを判定するための情報を付加して送信する送信工程と、
受信手段が、前記送信された、前記検出部での検出可能なタイミングを判定するための情報が付加されたＸ線画像を受信する受信工程と、
制御手段が、前記受信した前記検出部での検出可能なタイミングを判定するための情報に基づいて、前記撮影装置において被検体に対してＸ線を照射するタイミングを制御する制御工程と
を備えることを特徴とするＸ線画像診断装置の制御方法。
【請求項１１】
Ｘ線を検出して電気信号を得る二次元センサと、
前記二次元センサを駆動する駆動回路と、を有する撮影装置のコンピュータに、
前記駆動回路に前記二次元センサからの前記電気信号を読み出させることでＸ線画像データを得る制御工程と、
外部装置と接続し、前記二次元センサの駆動状態を示す信号と前記電気信号を前記駆動回路により読み出すことで得られるＸ線画像データとを同一の通信ポートを介して送信する通信工程と
を実行させるためのプログラムを格納したコンピュータ読取可能な記憶媒体。
【手続補正２】
【補正対象書類名】明細書
【補正対象項目名】発明の名称
【補正方法】変更
【補正の内容】
【発明の名称】撮影装置、Ｘ線画像診断装置ならびにそれらの制御方法
【手続補正３】
【補正対象書類名】明細書
【補正対象項目名】００１２
【補正方法】変更
【補正の内容】
【００１２】
上記の目的を達成するために本発明に係る撮影装置は以下のような構成を備える。即ち、
Ｘ線を検出して電気信号を得る二次元センサと、
前記二次元センサを駆動する駆動回路と、
前記駆動回路に前記二次元センサからの前記電気信号を読み出させることでＸ線画像データを得る制御手段と、
外部装置と接続し、前記二次元センサの駆動状態を示す信号と前記電気信号を前記駆動回路により読み出すことで得られるＸ線画像データとを同一の通信ポートを介して送信する通信手段とを有することを特徴とする。
【手続補正４】
【補正対象書類名】明細書
【補正対象項目名】００３０
【補正方法】変更
【補正の内容】
【００３０】
なお、センサ駆動部２０２では、データバッファ部２０３にある程度の空き容量が生じると、読み出し処理を行ってデータバッファ部２０３に次のフレームのＸ線画像の書き込みを行うようＸ線センサ２０１を制御する。
【手続補正５】
【補正対象書類名】図面
【補正対象項目名】図２
【補正方法】変更
【補正の内容】
【図２】
2010035714.tif 000001
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
被検体に静磁場および傾斜磁場を与える磁場発生系と、前記被検体の生体組織を構成する原子核に核磁気共鳴を起こさせるための高周波磁場を照射する送信系と、この核磁気共鳴により放出される核磁気共鳴信号を検出する受信系と、前記受信系で検出された核磁気共鳴信号を用いて画像再構成演算をおこなう信号処理系と、装置全体の動作を制御する中央処理装置とを備えた磁気共鳴イメージング装置において、
前記磁気共鳴イメージング装置の傾斜磁場パルスの補正を制御する傾斜磁場パルス補正コントローラを備え、前記傾斜磁場パルス補正コントローラは、
シーケンス実行時、操作者が途中で該シーケンスを中止したときにＣＰＵから命令を受けることにより、緊急停止時に傾斜磁場電源に印加される可能性のある急峻な電流変化を低減することを特徴とする磁気共鳴イメージング装置。
【請求項２】
前記傾斜磁場パルス補正コントローラは、ＣＰＵやシーケンサから傾斜磁場電源の仕様範囲を超える制御命令を受けたときに、傾斜磁場電源に印加される急峻な電流変化を低減することを特徴とする請求項１記載の磁気共鳴イメージング装置。
【手続補正２】
【補正対象書類名】明細書
【補正対象項目名】０００６
【補正方法】変更
【補正の内容】
【０００６】
しかし、高速シーケンスや複雑な高機能シーケンスになると、CPUやシーケンサの処理が増大し、CPUで傾斜磁場パルスを把握し制御することが困難となり、途中で撮像を中止するときなど傾斜磁場電源の仕様内で制御することができず、不要な大電圧が傾斜磁場電源に瞬間的に印加されてしまうと、傾斜磁場電源が壊れてしまうおそれがあった。
そこで、本発明の目的は、傾斜磁場パルス補正コントローラがCPUから命令を受けることにより、傾斜磁場パルスの出力を傾斜磁場電源の仕様内でゼロ出力になるように自動的に制御を行い、高速シーケンスや複雑な高機能シーケンスにおいても傾斜磁場電源にダメージを与えることなく安全にスキャンを停止させることである。
【手続補正３】
【補正対象書類名】明細書
【補正対象項目名】０００７
【補正方法】変更
【補正の内容】
【０００７】
本発明は、被検体に静磁場および傾斜磁場を与える磁場発生系と、前記被検体の生体組織を構成する原子核に核磁気共鳴を起こさせるための高周波磁場を照射する送信系と、この核磁気共鳴により放出される核磁気共鳴信号を検出する受信系と、前記受信系で検出された核磁気共鳴信号を用いて画像再構成演算をおこなう信号処理系と、装置全体の動作を制御する中央処理装置とを備えた磁気共鳴イメージング装置において、
前記磁気共鳴イメージング装置の傾斜磁場パルスの補正を制御する傾斜磁場パルス補正コントローラを備え、前記傾斜磁場パルス補正コントローラは、シーケンス実行時、操作者が途中で該シーケンスを中止したときにCPUから命令を受けることにより、緊急停止時に傾斜磁場電源に印加される可能性のある急峻な電流変化を低減することを特徴とする。
【手続補正４】
【補正対象書類名】明細書
【補正対象項目名】０００８
【補正方法】削除
【補正の内容】
【手続補正書】
【提出日】平成23年8月2日(2011.8.2)
【手続補正１】
【補正対象書類名】特許請求の範囲
【補正対象項目名】請求項４
【補正方法】変更
【補正の内容】
【請求項４】
前記可変表示制御実行手段による可変表示制御の実行回数を計数する計数手段を備え、
前記遊技モード切換手段は、前記計数手段の計数値が所定値になったときに、遊技モードを切り換えることを特徴とする、請求項１〜請求項３のいずれかに記載の遊技機。
【手続補正２】
【補正対象書類名】特許請求の範囲
【補正対象項目名】請求項５
【補正方法】変更
【補正の内容】
【請求項５】
前記可変表示制御実行手段による可変表示制御において実行する可変表示パターンを選択する可変表示パターン選択手段を備え、
前記遊技モード切換手段は、前記可変表示パターン選択手段により特定の可変表示パターンが選択されたときに、遊技モードを切り換えることを特徴とする、請求項１〜請求項４のいずれかに記載の遊技機。
【手続補正３】
【補正対象書類名】明細書
【補正対象項目名】００１２
【補正方法】変更
【補正の内容】
【００１２】
（４）  前記可変表示制御実行手段による可変表示制御の実行回数を計数する計数手段（変動カウンタ）を備え、
前記遊技モード切換手段は、前記計数手段の計数値が所定値（１００）になったときに、遊技モードを切り換える（図５５のＳ４９９、Ｓ５００）。
【手続補正４】
【補正対象書類名】明細書
【補正対象項目名】００１４
【補正方法】変更
【補正の内容】
【００１４】
（５）  前記可変表示制御実行手段による可変表示制御において実行する可変表示パターンを選択する可変表示パターン選択手段（図２２）を備え、
前記遊技モード切換手段は、前記可変表示パターン選択手段により特定の可変表示パターン（３回擬似連）が選択されたときに、遊技モードを切り換える（遊技制御用マイクロコンピュータ５６０が３回疑似連を選択決定した後所定期間が経過するまでの間においてのみ、第１先読み処理（Ｓ２１９）、第２先読み処理（Ｓ２３０）を実行する）。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
Ｘ線を発生するＸ線発生部と、
該Ｘ線発生部を制御するＸ線発生制御手段と、
被写体を透過したＸ線を受像する二次元Ｘ線画像撮影手段を備えるＸ線撮影部と、
前記Ｘ線発生制御手段と前記Ｘ線撮影部との間の通信接続手段とを備えるＸ線画像撮影装置において、
前記通信接続手段の接続方法の検出手段と、
該検出手段により検出された接続検出情報に応じて前記Ｘ線撮影部の駆動方法を変更する駆動方法変更手段と
を有することを特徴とするＸ線画像撮影装置。
【請求項２】
前記駆動方法変更手段は前記検出された接続方法に基づいて前記Ｘ線撮影部の画像蓄積期間を制御することにより前記Ｘ線撮影部の駆動方法を変更する
ことを特徴とする請求項１に記載のＸ線画像撮影装置。
【請求項３】
前記駆動方法変更手段は、前記検出された接続方法が無線通信であるか否か、または専用線による通信であるか否か、のいずれかに基づいて画像蓄積期間を変更する
ことを特徴とする請求項２に記載のＸ線画像撮影装置。
【請求項４】
前記駆動方法変更手段は、前記検出された通信接続手段が専用線のときに、前記駆動方法を固定蓄積時間で画像を取得する方法に変更し、前記検出された通信接続手段が無線又は専用線以外の有線のときには、前記駆動方法を前記Ｘ線発生装置と同期して画像蓄積時間を決める方法に変更することを特徴とする請求項１乃至３のいずれか１項に記載のＸ線画像撮影装置。
【請求項５】
前記駆動方法変更手段は撮影部位選択手段により選択された部位情報を基に変更することを特徴とする請求項１乃至４のいずれか１項に記載のＸ線画像撮影装置。
【請求項６】
前記駆動方法変更手段は前記Ｘ線撮影部の画像蓄積時間を変更することを特徴とする請求項１乃至５のいずれか１項に記載のＸ線画像撮影装置。
【請求項７】
前記駆動方法変更手段は前記Ｘ線撮影部から前記Ｘ線発生制御手段に送信する際の余裕時間を変更することを特徴とする請求項１乃至６のいずれか１項に記載のＸ線画像撮影装置。
【請求項８】
前記Ｘ線撮影部の画像蓄積時間の変更に応じて画像処理方法を変更することを特徴とする請求項７に記載のＸ線画像撮影装置。
【請求項９】
前記画像処理方法の変更は暗電流補正方法の変更であることを特徴とする請求項８に記載のＸ線画像撮影装置。
【請求項１０】
前記画像処理方法の変更は、前記画像蓄積時間に対応する暗電流画像を取得し、暗電流補正用画像を選択し、Ｘ線画像から減算することにより画像中の暗電流を補正するように変更することを特徴とする請求項９に記載のＸ線画像撮影装置。
【請求項１１】
前記画像処理方法の変更はノイズ低減処理を行う方法の変更であることを特徴とする請求項８に記載のＸ線画像撮影装置。
【請求項１２】
前記ノイズ低減処理の変更は前記ノイズ低減処理の複数の特定周波数画像に該当する強調係数を変更することを特徴とする請求項１１に記載のＸ線画像撮影装置。
【請求項１３】
Ｘ線を発生するＸ線発生部と、該Ｘ線発生部を制御するＸ線発生制御手段と、被写体を透過したＸ線を受像する二次元Ｘ線画像撮影手段を備えるＸ線撮影部と、前記Ｘ線発生制御手段と前記Ｘ線撮影部との間の通信接続手段とを備えるＸ線画像撮影装置の制御方法であって、
前記通信接続手段の接続方法を検出する検出ステップと、
前記検出された接続検出情報に応じて前記Ｘ線撮影部の駆動方法を変更する変更ステップと、
ことを特徴とする制御方法。
【請求項１４】
前記変更ステップでは前記検出された接続方法に基づいて前記Ｘ線撮影部の画像蓄積期間を制御することにより前記Ｘ線撮影部の駆動方法を変更する
ことを特徴とする請求項１３に記載の制御方法。
【請求項１５】
前記変更ステップでは、前記検出された接続方法が無線通信であるか否か、または専用線による通信であるか否か、のいずれかに基づいて画像蓄積期間を変更する
ことを特徴とする請求項１４に記載の制御方法。
【手続補正２】
【補正対象書類名】明細書
【補正対象項目名】発明の名称
【補正方法】変更
【補正の内容】
【発明の名称】Ｘ線画像撮影装置および制御方法
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
Ｘ線撮影装置であって、
第一の姿勢と第二の姿勢との間で姿勢を変更可能なＸ線検出器を有するＸ線撮影手段と、
前記Ｘ線撮影装置をＣＴ撮影モードと静止画像撮影モードとのいずれかで選択的に動作させるとともに、前記Ｘ線検出器の姿勢に基づいて選択された撮影モードでの動作を許可する制御手段と、
を有することを特徴とするＸ線撮影装置。
【請求項２】
前記Ｘ線検出器の姿勢を検出する検出手段をさらに有し、
前記制御手段は前記第二の姿勢となっている場合のみ前記ＣＴ撮影モードでの動作を許可することを特徴とする請求項１に記載のＸ線撮影装置。
【請求項３】
前記Ｘ線検出器の姿勢を検出する検出手段をさらに有し、
前記制御手段は前記Ｘ線検出器の姿勢が前記第一の姿勢または第二の姿勢のいずれかであると検出された場合に前記静止画撮影モードでの動作を許可することを特徴とする請求項１に記載のＸ線撮影装置。
【請求項４】
前記Ｘ線検出器の姿勢が前記第一の姿勢と前記第二の姿勢のいずれでもない場合において前記Ｘ線撮影装置による撮影が開始された場合に、前記警告を通知する警告通知手段と、をさらに有することを特徴とする請求項１乃至３のいずれか１項に記載のＸ線撮影装置。
【請求項５】
前記Ｘ線検出器の姿勢が前記第一の姿勢と前記第二の姿勢のいずれでもない場合において、前記Ｘ線撮影装置による静止画撮影を許可するか否かを外部からの入力に応じて判定する判定手段をさらに有し、
前記制御手段は、前記判定手段にて前記静止画撮影を要求する情報の入力があったと判定された場合に、前記Ｘ線検出器による静止画撮影を許可する
ことを特徴とする請求項４に記載のＸ線撮影装置。
【請求項６】
ＣＴ撮影モードと静止画撮影モードのいずれかの撮影モードを選択する選択手段と、
前記Ｘ線検出器の姿勢を検出する検出手段をさらに有し、
前記検出手段は、前記撮影モードが選択された後に前記Ｘ線検出器の姿勢を検出し、
前記制御手段は、前記ＣＴ撮影モードが選択された場合に前記検出された姿勢が前記第二の姿勢となっているかを判定し、該判定の結果に応じてＣＴ撮影を実行させる制御を行い、
前記制御手段は、前記静止画撮影モードが選択された場合に前記検出された姿勢が前記第一の姿勢または前記第二の姿勢のいずれかになっているかを判定し、該判定の結果に応じて静止画撮影を実行させる制御を行う
ことを特徴とする請求項１乃至５のいずれか１項に記載のＸ線撮影装置。
【請求項７】
前記ＣＴ撮影モードでの撮影の開始を指示する情報が入力された際に、前記Ｘ線検出器の姿勢が前記第一の姿勢であった場合には警告を通知する警告手段をさらに有することを特徴とする請求項１乃至６のいずれか１項に記載のＸ線撮影装置。
【請求項８】
Ｘ線を発生させるためのＸ線発生装置をさらに有することを特徴とする請求項１乃至７のいずれか１項に記載のＸ線撮影装置。
【請求項９】
前記ＣＴ撮影モードで動作している際に前記Ｘ線発生装置と前記Ｘ線撮影手段と被検者に対して相対的に回転させる駆動手段と
をさらに有することを特徴とする請求項８に記載のＸ線撮影装置。
【請求項１０】
前記駆動手段は、前記ＣＴ撮影モードが選択されたことに応じて前記Ｘ線検出器を前記第二の姿勢へと移動させる
ことを特徴とする請求項９に記載の制御方法。
【請求項１１】
前記Ｘ線検出器は長方形のＸ線検出領域を有することを特徴とする請求項１乃至１０のいずれか１項に記載のＸ線撮影装置。
【請求項１２】
前記Ｘ線検出器は、前記Ｘ線検出領域の長辺が被写体の体軸方向と平行になる第一の姿勢と、前記Ｘ線検出領域の短辺が被写体の体軸方向と平行になる第二の姿勢との間で姿勢を変更可能であることを特徴とする請求項１１に記載のＸ線撮影装置。
【請求項１３】
前記Ｘ線検出手段の検出領域の長辺及び短辺の何れも被写体の体軸に平行でない状態で撮影を開始する際に、警告を通知する警告手段を備えたことを特徴とする請求項１２に記載のＸ線撮影装置。
【請求項１４】
Ｘ線発生装置と、
長方形のＸ線検出領域を有し、前記Ｘ線検出領域の長辺が被写体の体軸方向と平行になる第一の姿勢と、前記Ｘ線検出領域の短辺が被写体の体軸方向と平行になる第二の姿勢との間で姿勢を変更可能であるＸ線検出器と、
前記Ｘ線発生装置および前記Ｘ線検出器をＣＴ撮影モードと静止画像撮影モードとのいずれかで選択的に動作させるとともに、前記Ｘ線検出器の姿勢に基づいて選択された撮影モードでの動作を許可する制御手段と、
前記制御手段により前記ＣＴ撮影モードで動作する前記Ｘ線発生装置および前記Ｘ線検出器を被写体に対して相対的に回転させる駆動手段と、
を有することを特徴とするＣアーム撮影装置。
【請求項１５】
第一の姿勢と第二の姿勢との間で姿勢を変更なＸ線検出器を有し、ＣＴ撮影モードと静止画像撮影モードとのいずれかで選択的に動作可能なＸ線撮影装置の制御方法であって、
前記撮影モードを選択するステップと、
前記Ｘ線検出器の姿勢を判定する判定ステップと、
前記判定結果に応じて前記選択された撮影モードでの動作を許可するステップと、
を有することを特徴とする制御方法。
【手続補正２】
【補正対象書類名】明細書
【補正対象項目名】発明の名称
【補正方法】変更
【補正の内容】
【発明の名称】Ｘ線撮影装置、Ｃアーム撮影装置および制御方法
【手続補正３】
【補正対象書類名】明細書
【補正対象項目名】００１４
【補正方法】変更
【補正の内容】
【００１４】
そこで本発明の一態様に係るＸ線検出器の選択方法は、Ｘ線撮影装置であって、第一の姿勢と第二の姿勢との間で姿勢を変更可能なＸ線検出器を有するＸ線撮影手段と、前記Ｘ線撮影装置をＣＴ撮影モードと静止画像撮影モードとのいずれかで選択的に動作するとともに、前記Ｘ線検出器の姿勢に基づいて選択された撮影モードでの動作を許可する制御手段と、を有することを特徴とする。
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
所定の表示領域にて演出が行われる演出表示手段と、
始動口への遊技球の入球に基づいて当落判定用乱数を取得する当落乱数取得手段と、
前記当落乱数取得手段により前記当落判定用乱数として取得され得る乱数値が大当たり値とハズレ値とのいずれかに分類判別可能となるように記憶されている第１の当落乱数記憶手段と、
前記大当たり値の一部と前記ハズレ値の一部とを特殊当たり値として判別可能とするとともに、該判別可能とされる前記大当たり値の一部の前記ハズレ値の一部に対する割合は、前記第１の当落乱数記憶手段での前記大当たり値の前記ハズレ値に対する割合よりも高く設定されてなる第２の当落乱数記憶手段と、
予め定められた始動条件が成立したことを条件に、前記当落乱数取得手段により前記当落判定用乱数として取得された乱数値を前記第１の当落乱数記憶手段に基づいて前記ハズレ値と前記大当たり値とのいずれかに分類判別し、前記大当たり値に分類判別されたときにのみ大当たりが当選された旨判定される当落判定処理を行う大当たり判定手段と、
前記大当たり判定手段による当落判定処理に先立って、前記当落乱数取得手段により前記当落判定用乱数として取得された乱数値が前記特殊当たり値であるか否かを判断し、前記特殊当たり値である旨判断されたときには特殊当たりが当選された旨判定される特殊判定処理を行う特殊当たり判定手段と、
前記大当たり判定手段による当落判定処理にて前記大当たりが当選されたとき、遊技者に遊技球が払い出されうる特別遊技を行う特別遊技実行手段と、
前記特殊当たり判定手段による特殊判定処理にて前記特殊当たりが当選されたとき、前記大当たり判定手段による当落判定処理が行われる前の時点での前記所定の表示領域にて前記大当たりが当選される期待度を事前告知する特殊演出制御手段と
を備え、さらに、
前記第２の当落乱数記憶手段は、
前記特殊当たりを、第１の特殊当たりと、該第１の特殊当たりよりも大当たり値の含まれる割合が高い第２の特殊当たりとに分類判別可能とするものであり、
前記特殊演出制御手段は、
前記特殊当たり判定手段により前記乱数値の種別が前記第２の特殊当たりである旨判断されたときは、前記乱数値の種別が前記第１の特殊当たりである旨判断されたときよりも、前記大当たりの当選期待度が高いことが示唆されるように前記事前告知を行うものである
ことを特徴とする遊技機。
【請求項２】
前記特殊当たり判定手段は、
前記当落乱数取得手段により前記当落判定用乱数として取得された乱数値の種別を前記第２の当落乱数記憶手段に基づいて段階をもった判別処理により判断するものである
請求項１に記載の遊技機。
【請求項３】
前記演出表示手段は、液晶表示装置として設けられてなる
請求項１または２に記載の遊技機。
【手続補正２】
【補正対象書類名】明細書
【補正対象項目名】０００６
【補正方法】変更
【補正の内容】
【０００６】
しかしながら、近年は、雑誌等により開示されている演出の仕組みを熟知して遊技する者が多くなってきており、このような遊技者にとっての大当たり予告演出とは、大当たりに当選されていないにもかかわらず、遊技者を騙すために複数の異なる信頼度の演出パターンをわざわざ用意して大当たりに当選されている旨の虚偽予告を行うものでしかない。
【手続補正３】
【補正対象書類名】明細書
【補正対象項目名】０００８
【補正方法】変更
【補正の内容】
【０００８】
こうした目的を達成するため、請求項１に記載の発明では、所定の表示領域にて演出が行われる演出表示手段と、始動口への遊技球の入球に基づいて当落判定用乱数を取得する当落乱数取得手段と、前記当落乱数取得手段により前記当落判定用乱数として取得され得る乱数値が大当たり値とハズレ値とのいずれかに分類判別可能となるように記憶されている第１の当落乱数記憶手段と、前記大当たり値の一部と前記ハズレ値の一部とを特殊当たり値として判別可能とするとともに、該判別可能とされる前記大当たり値の一部の前記ハズレ値の一部に対する割合は、前記第１の当落乱数記憶手段での前記大当たり値の前記ハズレ値に対する割合よりも高く設定されてなる第２の当落乱数記憶手段と、予め定められた始動条件が成立したことを条件に、前記当落乱数取得手段により前記当落判定用乱数として取得された乱数値を前記第１の当落乱数記憶手段に基づいて前記ハズレ値と前記大当たり値とのいずれかに分類判別し、前記大当たり値に分類判別されたときにのみ大当たりが当選された旨判定される当落判定処理を行う大当たり判定手段と、前記大当たり判定手段による当落判定処理に先立って、前記当落乱数取得手段により前記当落判定用乱数として取得された乱数値が前記特殊当たり値であるか否かを判断し、前記特殊当たり値である旨判断されたときには特殊当たりが当選された旨判定される特殊判定処理を行う特殊当たり判定手段と、前記大当たり判定手段による当落判定処理にて前記大当たりが当選されたとき、遊技者に遊技球が払い出されうる特別遊技を行う特別遊技実行手段と、前記特殊当たり判定手段による特殊判定処理にて前記特殊当たりが当選されたとき、前記大当たり判定手段による当落判定処理が行われる前の時点での前記所定の表示領域にて前記大当たりが当選される期待度を事前告知する特殊演出制御手段とを備え、さらに、前記第２の当落乱数記憶手段は、前記特殊当たりを、第１の特殊当たりと、該第１の特殊当たりよりも大当たり値の含まれる割合が高い第２の特殊当たりとに分類判別可能とするものであり、前記特殊演出制御手段は、前記特殊当たり判定手段により前記乱数値の種別が前記第２の特殊当たりである旨判断されたときは、前記乱数値の種別が前記第１の特殊当たりである旨判断されたときよりも、前記大当たりの当選期待度が高いことが示唆されるように前記事前告知を行うものであることを要旨とする。
【手続補正４】
【補正対象書類名】明細書
【補正対象項目名】００１０
【補正方法】変更
【補正の内容】
【００１０】
したがって、当落判定用乱数として取得された乱数値の種別を、特殊当たりに該当しない特殊ハズレ、第１の特殊当たり、第２の特殊当たりのいずれに該当するのかを上記第２の当落乱数記憶手段に基づいて判断するようにすることで、大当たりについての当落抽選処理を行うことなく、乱数値の種別が第１の特殊当たりであるときと第２の特殊当たりであるときとで異なる大当たり期待度を遊技者に対して事前告知することができるようになる。これにより、その後に行われる大当たりについての当落抽選処理において大当たりに落選されるような場合であっても、大当たり期待度の程度（高さ）が偽りなく示唆される上記事前予告によって遊技興趣の低下をその都度抑制することができるようになる。しかも、このような事前予告を、大当たりについての当落判定処理が行われる前の、上記予め定められた始動条件が成立していない時点から行うようにしたため、長期にわたって大当たりへの期待感を持続させることができるようになる。
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて取得される当落判定用乱数が、所定の当選確率にて大当たりが当選されるべく設定された複数の大当たり値のいずれかであるか否かについての判断を行うことにより大当たり当落判定を行う主制御手段と、
前記大当たり当落判定の結果情報を含めて、前記主制御手段から出力される主制御情報を取得するとともに、該主制御情報に基づいて各種の演出にかかる制御を行う副制御手段と、を備え、
前記主制御手段は、前記大当たり当落判定に際しては、予め定められた始動条件が成立しているか否かについての判断を行うとともに、該始動条件が成立している旨判断されたことを条件に前記大当たり当落判定を行う遊技機であって、
前記主制御手段は、
前記複数の大当たり値のいずれにも該当しないハズレ値の一部と、前記複数の大当たり値の一部とを演出当たり値として判別可能とする演出用乱数記憶手段、及び
前記始動口への遊技球の入球に基づいて前記当落判定用乱数が取得されたとき、前記始動条件の成立に先立って、該取得された当落判定用乱数が前記演出当たり値であるか否かについての判断を前記演出用乱数記憶手段に基づいて行うことにより遊技の進行に先行した期待演出についての演出当落判定を行う演出用判定手段、及び
前記演出用判定手段により前記先行した期待演出についての演出当落判定が行われたとき、前記始動条件の成立に先立って、前記演出当落判定についての結果情報を当該主制御手段から出力するとともに、該出力された結果情報を消去操作する結果情報操作手段
を有しており、
前記副制御手段は、
前記大当たり当落判定の結果情報についての前記主制御手段からの出力に先立って、前記主制御手段から出力される前記演出当落判定についての結果情報を取得し、該結果情報に基づいて前記先行した期待演出にかかる制御を行う判定前期待演出手段
を有することを特徴とする遊技機。
【請求項２】
前記先行した期待演出は、所定の演出表示装置にて行われる
請求項１に記載の遊技機。
【請求項３】
前記所定の演出表示装置は、液晶表示装置として設けられてなる
請求項２に記載の遊技機。
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて当落判定用乱数を取得する当落乱数取得手段と、
前記当落乱数取得手段により前記当落判定用乱数として取得され得る乱数値がハズレ値と大当たり値とのいずれかに分類判別可能となるように記憶されている第１の当落乱数記憶手段と、
予め定められた始動条件が成立したことを条件に、前記当落乱数取得手段により前記当落判定用乱数として取得された乱数値を前記第１の当落乱数記憶手段に基づいて前記ハズレ値と前記大当たり値とのいずれかに分類判別し、前記大当たり値に分類判別されたときにのみ大当たりが当選された旨判定される当落判定処理を行う大当たり判定手段と、
前記大当たり判定手段による当落判定処理に先立って、前記第１の当落乱数記憶手段での前記大当たり値の前記ハズレ値に対する割合によって決定付けられる前記大当たりの当選確率を変更することなく、該当選確率よりも倍以上の高い確率にて大当たりが当選される擬似確変状態に制御可能な擬似確変制御手段と、を備え、
前記擬似確変制御手段は、
前記大当たり値の一部と前記ハズレ値の一部とを前記擬似確変状態での当落判定処理に供される擬似確変用乱数値として判別可能とするとともに、該判別可能とされる前記大当たり値の一部の前記ハズレ値の一部に対する割合は、前記大当たりの当選確率を決定付ける前記第１の当落乱数記憶手段での前記大当たり値の前記ハズレ値に対する割合よりも倍以上に高く設定される第２の当落乱数記憶手段、及び
前記大当たり判定手段による当落判定処理に先立って、前記当落乱数取得手段により前記当落判定用乱数として取得された乱数値が前記第２の当落乱数記憶手段に基づいて前記擬似確変用乱数値であるか否かを判断する擬似確変判断手段
を有しており、前記擬似確変判断手段により擬似確変用乱数値である旨判断されたときに、前記大当たり判定手段による当落判定処理が行われる前の時点での所定の表示画面にて所定の擬似確変演出を行う
ことを特徴とする遊技機。
【請求項２】
前記始動口は、複数設けられてなる
請求項１に記載の遊技機。
【請求項３】
前記所定の表示画面は、液晶画面として設けられてなる
請求項１または２に記載の遊技機。
【手続補正２】
【補正対象書類名】明細書
【補正対象項目名】０００８
【補正方法】変更
【補正の内容】
【０００８】
こうした目的を達成するため、請求項１に記載の発明では、始動口への遊技球の入球に基づいて当落判定用乱数を取得する当落乱数取得手段と、前記当落乱数取得手段により前記当落判定用乱数として取得され得る乱数値がハズレ値と大当たり値とのいずれかに分類判別可能となるように記憶されている第１の当落乱数記憶手段と、予め定められた始動条件が成立したことを条件に、前記当落乱数取得手段により前記当落判定用乱数として取得された乱数値を前記第１の当落乱数記憶手段に基づいて前記ハズレ値と前記大当たり値とのいずれかに分類判別し、前記大当たり値に分類判別されたときにのみ大当たりが当選された旨判定される当落判定処理を行う大当たり判定手段と、前記大当たり判定手段による当落判定処理に先立って、前記第１の当落乱数記憶手段での前記大当たり値の前記ハズレ値に対する割合によって決定付けられる前記大当たりの当選確率を変更することなく、該当選確率よりも倍以上の高い確率にて大当たりが当選される擬似確変状態に制御可能な擬似確変制御手段と、を備え、前記擬似確変制御手段は、前記大当たり値の一部と前記ハズレ値の一部とを前記擬似確変状態での当落判定処理に供される擬似確変用乱数値として判別可能とするとともに、該判別可能とされる前記大当たり値の一部の前記ハズレ値の一部に対する割合は、前記大当たりの当選確率を決定付ける前記第１の当落乱数記憶手段での前記大当たり値の前記ハズレ値に対する割合よりも倍以上に高く設定される第２の当落乱数記憶手段、及び前記大当たり判定手段による当落判定処理に先立って、前記当落乱数取得手段により前記当落判定用乱数として取得された乱数値が前記第２の当落乱数記憶手段に基づいて前記擬似確変用乱数値であるか否かを判断する擬似確変判断手段を有しており、前記擬似確変判断手段により擬似確変用乱数値である旨判断されたときに、前記大当たり判定手段による当落判定処理が行われる前の時点での所定の表示画面にて所定の擬似確変演出を行うことを要旨とする。
【手続補正３】
【補正対象書類名】明細書
【補正対象項目名】００１０
【補正方法】変更
【補正の内容】
【００１０】
すなわちこの場合、上記擬似確変判断手段により上記擬似確変用乱数値である旨判断されれば、第１の当落乱数記憶手段を利用した大当たりについての当落判定処理が行われる前の時点で、大当たりの当選確率よりも倍以上の高い確率（第２の当落乱数記憶手段での上記大当たり値の一部の上記ハズレ値の一部に対する割合から算出される確率）にて大当たりが当選されることが理論的に決定されることとなる。したがって、上記擬似確変判断手段により擬似確変用乱数値である旨判断されたときに、上記大当たり判定手段による当落判定処理が行われる前の、上記予め定められた始動条件が成立していない時点での所定の表示画面にて所定の擬似確変演出を行うようにすれば、大当たりの当選確率が変更されない通常遊技状態において、上記大当たりについての当落判定処理をその当選確率を倍以上に高くして行うことができるようになる。このような遊技機によれば、通常遊技状態において、実際に高い確率で当選されるかのような当落判定処理が行われる状況が突然に発生し得るため、通常遊技状態にあるときの興趣低下が抑制されるようになる。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
下記（ａ）から（ｃ）の工程を含む、サルモネラの血清型がTyphimuriumであるか否かを判別する方法；
（ａ）サルモネラよりゲノムDNAを抽出する工程、
（ｂ）下記（１）〜（４）に記載のDNAを増幅する工程、及び
（ｃ）下記（１）〜（４）に記載のDNAの増幅産物が得られた場合に、サルモネラの血清型がTyphimuriumであると示される工程。
（１）配列番号：１に記載の塩基配列の全部又は一部を含むDNA
（２）配列番号：２に記載の塩基配列の全部又は一部を含むDNA
（３）配列番号：３に記載の塩基配列の全部又は一部を含むDNA
（４）配列番号：４に記載の塩基配列の全部又は一部を含むDNA
【請求項２】
下記（ｄ）及び（ｅ）の工程をさらに含む、請求項２に記載の方法；
（ｄ）サルモネラのＯ群血清型を判定する工程、及び
（ｅ）工程（ｄ）においてＯ群血清型がＯ４群と判定された場合に、サルモネラの血清型がTyphimuriumであると示される工程。
【請求項３】
配列番号：１〜４記載の塩基配列の全部又は一部を含むDNAとストリンジェントな条件で特異的にハイブリダイズするオリゴヌクレオチド。
【請求項４】
配列番号：２５〜３２のいずれかに記載の塩基配列を含むオリゴヌクレオチド。
【請求項５】
下記（１）から（４）を含むセット
（１）配列番号：２５に記載の塩基配列を含むオリゴヌクレオチド、及び、配列番号：２６に記載の塩基配列を含むオリゴヌクレオチドのセット、
（２）配列番号：２７に記載の塩基配列を含むオリゴヌクレオチド、及び、配列番号：２８に記載の塩基配列を含むオリゴヌクレオチドのセット、
（３）配列番号：２９に記載の塩基配列を含むオリゴヌクレオチド、及び、配列番号：３０に記載の塩基配列を含むオリゴヌクレオチドのセット、
（４）配列番号：３１に記載の塩基配列を含むオリゴヌクレオチド、及び、配列番号：３２に記載の塩基配列を含むオリゴヌクレオチドのセット。
【請求項６】
請求項３又は４に記載のオリゴヌクレオチド、又は請求項５に記載のセットを含有するサルモネラの血清型判別用キット。
【請求項７】
Salmonella TyphimuriumのサルモネラのゲノムDNAを鋳型とし、下記（ｉ）のセットをプライマーセットとするPCRによって増幅されるPCR産物；
（ｉ）下記（１）から（４）を含むセット
（１）配列番号：２５に記載の塩基配列を含むオリゴヌクレオチド、及び、配列番号：２６に記載の塩基配列を含むオリゴヌクレオチドのセット、
（２）配列番号：２７に記載の塩基配列を含むオリゴヌクレオチド、及び、配列番号：２８に記載の塩基配列を含むオリゴヌクレオチドのセット、
（３）配列番号：２９に記載の塩基配列を含むオリゴヌクレオチド、及び、配列番号：３０に記載の塩基配列を含むオリゴヌクレオチドのセット、
（４）配列番号：３１に記載の塩基配列を含むオリゴヌクレオチド、及び、配列番号：３２に記載の塩基配列を含むオリゴヌクレオチドのセット。
【請求項８】
配列番号：９９に記載の塩基配列の全部又は一部を含むDNAとストリンジェントな条件で特異的にハイブリダイズするオリゴヌクレオチド。
【請求項９】
配列番号：７３および７４のいずれかに記載の塩基配列を含むオリゴヌクレオチド。
【請求項１０】
配列番号：７３に記載の塩基配列を含むオリゴヌクレオチド、及び、配列番号：７４に記載の塩基配列を含むオリゴヌクレオチドのセット。
【請求項１１】
請求項９に記載のオリゴヌクレオチド、又は請求項１０に記載のセットを含有するサルモネラの血清型判別用キット。
【請求項１２】
Salmonella TyphimuriumのサルモネラのゲノムDNAを鋳型とし、下記（１）のセットをプライマーセットとするPCRによって増幅されるPCR産物；
（１）配列番号：７３に記載の塩基配列を含むオリゴヌクレオチド、及び、配列番号：７４に記載の塩基配列を含むオリゴヌクレオチドのセット。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
発振容量と水晶振動子とを有する共振回路と、該共振回路を定常的に励振する増幅回路と、該増幅回路の出力振幅に応じた電圧で発振電流を制御する電流制御素子と、
を備える水晶発振回路において、
前記増幅回路から交流信号が出力されない非発振状態では、前記電流制限素子の制御信号として電源電位もしくは接地電位を与えることにより、前記電流制限素子を導通状態とし、前記増幅回路から交流信号が出力される発振状態では、前記増幅回路の出力振幅に応じた交流電圧により、前記導通状態よりも抵抗値が大きな状態となるように、前記電流制限素子を制御する発振電流制御手段を有し、
前記増幅回路の出力振幅は、前記発振電流制御手段によって接地電位と電源電位との両電位から出力振幅をクランプすることにより発振電流を低減するものであって、
前記発振電流制御手段は、前記増幅回路の出力振幅を交流的に結合する第１の容量と第２の容量を有し、
接地電位と前記第１の容量との間に接続する第１のダイオードと、電源電位と前記第２の容量との間に接続する第２のダイオードとをさらに備えており、
前記第１のダイオードと前記第１の容量との接続点が第２の電流制御素子の電流を制御し、
前記第２のダイオードと前記第２の容量との接続点が第１の電流制御素子の電流を制御することを特徴とする水晶発振回路。
【請求項２】
前記第１のダイオードは、ＰＭＯＳＦＥＴからなり、該ＰＭＯＳＦＥＴのゲート電極とバルク電極は接地電位に接続し、
前記第２のダイオードは、ＮＭＯＳＦＥＴからなり、該ＮＭＯＳＦＥＴのゲート電極とバルク電極は電源電位に接続することを特徴とする請求項１に記載の水晶発振回路。
【請求項３】
前記第１のダイオードは、ＰＭＯＳＦＥＴからなり、該ＰＭＯＳＦＥＴのゲート電極は接地電位に接続し、前記ＰＭＯＳＦＥＴのバルク電極は、前記第１の電流制御素子のドレイン電極に接続し、 
前記第２のダイオードは、ＮＭＯＳＦＥＴからなり、該ＮＭＯＳＦＥＴのゲート電極は電源電位に接続し、前記ＮＭＯＳＦＥＴのバルク電極は、前記第２の電流制御素子のドレイン電極に接続することを特徴とする請求項１に記載の水晶発振回路。 
【請求項４】
前記水晶発振回路は、ＳＯＩ基板に形成することを特徴とする請求項１から請求項３のいずれか１項に記載の水晶発振回路。 
【請求項５】
前記電流制御素子は、エンハンスメント型ＭＯＳＦＥＴであることを特徴とする請求項１から請求項４のいずれか１項に記載の水晶発振回路。
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
第１配線基板と、
前記第１配線基板の上にフリップチップ実装されて、上面が鏡面処理された半導体チップと、
前記半導体チップの上面に形成された密着層と、
前記第１配線基板の上にバンプ電極を介して接続されて積層され、前記半導体チップを収容する収容部を構成する第２配線基板と、
前記第１配線基板と前記第２配線基板との間に充填され、前記半導体チップ及び前記バンプ電極を含む前記基板間を樹脂封止するモールド樹脂とを有することを特徴とする半導体装置。
【請求項２】
前記半導体チップ上の前記密着層の上面と前記第２配線基板の下面との間に前記モールド樹脂が介在していることを特徴とする請求項１に記載の半導体装置。
【請求項３】
前記半導体チップ上の前記密着層は前記第２配線基板の下面に接触しており、前記モールド樹脂は前記半導体チップ及び前記密着層を取り囲むように形成されていることを特徴とする請求項１に記載の半導体装置。
【請求項４】
前記半導体チップの下側の隙間にアンダーフィル樹脂が充填されており、前記密着層は前記アンダーフィル樹脂と同一樹脂からなることを特徴とする請求項１乃至３のいずれか一項に記載の半導体装置。
【請求項５】
前記密着層は離型材を含まない樹脂又はカップリング材から形成され、前記モールド樹脂は前記離型材を含んでいることを特徴とする請求項１乃至３のいずれか一項に記載の半導体装置。
【請求項６】
第１配線基板の上に、上面が鏡面処理された半導体チップをフリップチップ実装する工程と、
前記半導体チップの上に密着層を形成する工程と、
前記第１配線基板の上にバンプ電極を介して第２配線基板を積層することにより、前記第１配線基板と前記第２配線基板との間に前記半導体チップを収容する工程と、
トランスファモールド工法により、前記第１配線基板と前記第２配線基板との間にモールド樹脂を充填することによって、前記半導体チップ及び前記バンプ電極を含む前記基板間を樹脂封止する工程とを有することを特徴とする半導体装置の製造方法。
【請求項７】
前記半導体チップを収容する工程において、
前記半導体チップ上の前記密着層の上面と前記第２配線基板の下面との間に隙間が設けられ、
前記モールド樹脂を充填する工程において、
前記隙間に前記モールド樹脂が充填されることを特徴とする請求項６に記載の半導体装置の製造方法。
【請求項８】
前記半導体チップを収容する工程において、
前記半導体チップ上の前記密着層が前記第２配線基板の下面に接触した状態で前記第２配線基板が配置され、
前記モールド樹脂を充填する工程において、
前記半導体チップ及び前記密着層を取り囲むように、前記モールド樹脂が充填されることを特徴とする請求項６に記載の半導体装置の製造方法。
【請求項９】
前記密着層は離型材を含まない樹脂又はカップリング材から形成され、前記モールド樹脂は前記離型材を含んでいることを特徴とする請求項６乃至８のいずれか一項に記載の半導体装置の製造方法。
【請求項１０】
前記半導体チップをフリップチップ実装する工程の後に、
前記半導体チップの下側の隙間にアンダーフィル樹脂を充填する工程をさらに有し、
前記密着層は前記アンダーフィル樹脂と同一の樹脂から形成されることを特徴とする請求項６乃至８のいずれか一項に記載の半導体装置の製造方法。
【手続補正２】
【補正対象書類名】明細書
【補正対象項目名】０００９
【補正方法】変更
【補正の内容】
【０００９】
上記課題を解決するため、本発明は半導体装置に係り、第１配線基板と、前記第１配線基板の上にフリップチップ実装されて、上面が鏡面処理された半導体チップと、前記半導体チップの上面に形成された密着層と、前記第１配線基板の上にバンプ電極を介して積層されて、前記半導体チップを収容する収容部を構成する第２配線基板と、前記第１配線基板と前記第２配線基板との間に充填され、前記半導体チップ及び前記バンプ電極を含む前記基板間を樹脂封止するモールド樹脂とを有することを特徴とする。
【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
基体の一方の面に設けられた中継基板載置部に、配線パターンを有する中継基板を載置する第１工程と、
前記中継基板載置部の、前記中継基板に隣接する部分に形成されている掘り込み部に、固着剤を供給する第２工程と、
前記固着剤を溶融させ、毛細管現象を利用して前記中継基板載置部と前記中継基板との間に展延させる第３工程と、
前記基体の前記一方の面の外縁部に設けられた枠体に、同軸コネクタを固定する第４工程と、
前記同軸コネクタと前記配線パターンとを電気的に接続する第５工程と、を有する半導体素子収納用パッケージの製造方法。
【請求項２】
前記同軸コネクタは、外周導体と、前記外周導体に充填された誘電体と、前記誘電体の中心に設けられた中心導体と、を有し、
前記第４工程において、前記同軸コネクタは、前記中心導体の一端が前記枠体の内側に突出するように、前記枠体に固定され、
前記第５工程において、前記枠体の内側に突出した前記中心導体の一端は、前記配線パターンと電気的に接続される請求項１記載の半導体素子収納用パッケージの製造方法。
【請求項３】
請求項１又は２記載の半導体素子収納用パッケージの内部に、電極パッドを有する半導体素子を搭載する第６工程と、
前記電極パッドと前記配線パターンとを電気的に接続する第７工程と、を有する半導体装置の製造方法。
【請求項４】
基体と、
前記基体の一方の面の外縁部に設けられた枠体と、
前記枠体に固定された同軸コネクタと、
前記基体の前記一方の面に設けられた中継基板載置部に載置され、前記同軸コネクタと電気的に接続される配線パターンを有する中継基板と、を有し、
前記中継基板載置部の、前記中継基板に隣接する部分に掘り込み部が形成されている半導体素子収納用パッケージ。
【請求項５】
前記同軸コネクタは、外周導体と、前記外周導体に充填された誘電体と、前記誘電体の中心に設けられた中心導体と、を有し、
前記中心導体の一端は前記枠体の内側に突出し、
前記枠体の内側に突出した前記中心導体の一端は、前記配線パターンと電気的に接続されている請求項４記載の半導体素子収納用パッケージ。
【請求項６】
前記中継基板と前記中継基板載置部との間に固着層が形成されている請求項４又は５記載の半導体素子収納用パッケージ。
【請求項７】
請求項４乃至６の何れか一項記載の半導体素子収納用パッケージの内部に、電極パッドを有する半導体素子が搭載され、
前記電極パッドは、前記配線パターンと電気的に接続されている半導体装置。
【手続補正２】
【補正対象書類名】明細書
【補正対象項目名】００１９
【補正方法】変更
【補正の内容】
【００１９】
中継基板１５は、固着層２１を介して中継基板載置部１４の載置面１４ａに固着されている。固着層２１の材料としては、例えばＡｕとＰｂの合金、Ｐｂを含む合金、ＡｕとＳｎの合金、ＳｎとＣｕの合金、ＳｎとＡｇの合金、ＳｎとＡｇとＣｕの合金等を用いることができる。又、固着層２１の材料として、例えばＡｇを含む導電性接着剤等を用いても構わない。後述するように、固着層２１の厚さＴ１は極めて薄くすることができる。